【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
支持体及び該支持体上に設けられた感光層を有する電子写真感光体において、
該電子写真感光体の表面層が、下記式（１１）で示される繰り返し構造単位α及び下記式（１２）で示される繰り返し構造単位βを有するジオルガノポリシロキサンと、フッ素樹脂粉体と、を含有することを特徴とする電子写真感光体。
【化１】
2008224851.tif 000001
（式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造又はフッ素原子を有するアルキレン基とフッ素原子を有するアルキレン基が酸素により結合した構造を有する一価の有機基を示す。）
【化２】
2008224851.tif 000002
（式（１２）中、Ｒ１２は、置換又は無置換の１価の炭化水素基を示す。Ｄ１１は、重合度３以上の置換又は無置換のポリスチレン鎖を有する１価の有機基、置換又は無置換のアルキレンオキシ基を有する１価の有機基、置換又は無置換のシロキサン鎖を有する１価の有機基、又は、炭素原子数１２以上の１価の有機基を示す。）
【請求項２】
前記ジオルガノポリシロキサンが、更に下記式（１３）で示される繰り返し構造単位γを有する請求項１に記載の電子写真感光体。
【化３】
2008224851.tif 000003
（式（１３）中、Ｒ１３及びＲ１４は、それぞれ独立に、置換又は無置換の１価の炭化水素基を示す。）
【請求項３】
前記式（１１）中のＢ１１が、フッ素原子を有するアルキル基とフッ素原子を有するアルキレン基が酸素に結合した構造を有する１価の有機基であり、該フッ素原子を有するアルキル基がパーフルオロアルキル基であるか又は該フッ素原子を有するアルキレン基がパーフルオロアルキレン基である請求項１又は２に記載の電子写真感光体。
【請求項４】
請求項１乃至３のいずれか１項に記載の電子写真感光体と、該電子写真感光体の表面を帯電するための帯電手段、該電子写真感光体の表面に形成された静電潜像をトナーにより現像して該電子写真感光体の表面にトナー画像を形成するための現像手段、該現像手段により該電子写真感光体の表面に形成されたトナー画像を転写材又は中間転写体に転写するための転写手段、及び、該転写手段によるトナー画像の転写の後に該電子写真感光体の表面に残ったトナーをクリーニングするためのクリーニング手段からなる群より選択される少なくとも１つの手段とを一体に支持し、電子写真装置本体に着脱自在であるプロセスカートリッジ。
【請求項５】
請求項１乃至３のいずれか１項に記載の電子写真感光体、該電子写真感光体の表面を帯電するための帯電手段、該帯電手段により帯電された該電子写真感光体の表面に露光光により静電潜像を形成するための露光手段、該露光手段により該電子写真感光体の表面に形成された静電潜像をトナーにより現像して該電子写真感光体の表面にトナー画像を形成するための現像手段、及び、該現像手段により該電子写真感光体の表面に形成されたトナー画像を転写材又は中間転写体に転写するための転写手段を有する電子写真装置。
【手続補正２】
【補正対象書類名】明細書
【補正対象項目名】０００１
【補正方法】変更
【補正の内容】
【０００１】
本発明は電子写真感光体、該電子写真感光体を有するプロセスカートリッジ及び電子写真装置に関し、詳しくは表面層に特定のジオルガノポリシロキサン及びフッ素樹脂粒子を含有する電子写真感光体、該電子写真感光体を有するプロセスカートリッジ及び電子写真装置に関する。
【手続補正３】
【補正対象書類名】明細書
【補正対象項目名】０００４
【補正方法】変更
【補正の内容】
【０００４】
その中で、特に効果的に機械的劣化を防止し耐久性を上げる方法として、フッ素樹脂粉末を電子写真感光体の表面層中に存在させることによって電子写真感光体表面の摩擦係数を減少させる方法が挙げられる。この構成により、クリーニング部材との摺擦性がスムーズになり、電子写真感光体表面に強いせん断応力がかからなくなる。
【手続補正４】
【補正対象書類名】明細書
【補正対象項目名】０００６
【補正方法】変更
【補正の内容】
【０００６】
また、分散補助剤がキャリヤをトラップし、電位変動の原因になることがあった。そこでこれらの改善するものとして、特許文献１及び特許文献２には、パーフルオロアルキル基を有するジオルガノポリシロキサンを含有する表面層を持つことで、耐久性能に優れ、電子写真特性に弊害が生じず、かつ繰り返し使用による明部電位の変動を抑えられ、更に優れた表面潤滑性を有する電子写真感光体、該電子写真感光体を有するプロセスカートリッジ及び電子写真装置が得られる旨が開示されている。しかしながら、年々高まる高画質、高耐久、高安定性の要求に応じ、更に性能を改善していく必要がある。
【手続補正５】
【補正対象書類名】明細書
【補正対象項目名】０００８
【補正方法】変更
【補正の内容】
【０００８】
本発明の目的は、年々高まる電子写真感光体の高い表面潤滑性を長期に亘り維持すること、安定した静電潜像を得ることへの要求に答えるべく、従来のフッ素樹脂粉末をバインダー樹脂中に分散含有する表面層が有していた課題を解決することである。
【手続補正６】
【補正対象書類名】明細書
【補正対象項目名】０００９
【補正方法】変更
【補正の内容】
【０００９】
本発明の別の目的は、電子写真感光体作製後も均一なフッ素樹脂粉末分散表面層を形成することによって低温低湿環境でも耐久性能に優れ、更に電子写真特性に弊害が生じず、優れた表面潤滑性を持続する電子写真感光体を提供することにある。
【手続補正７】
【補正対象書類名】明細書
【補正対象項目名】００１１
【補正方法】変更
【補正の内容】
【００１１】
本発明に従って、支持体及び該支持体上に設けられた感光層を有する電子写真感光体において、
該電子写真感光体の表面層が、下記式（１１）で示される繰り返し構造単位α及び下記式（１２）で示される繰り返し構造単位βを有するジオルガノポリシロキサンと、フッ素樹脂粉体と、を含有することを特徴とする電子写真感光体が提供される。
【手続補正８】
【補正対象書類名】明細書
【補正対象項目名】００１３
【補正方法】変更
【補正の内容】
【００１３】
式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造又はフッ素原子を有するアルキレン基とフッ素原子を有するアルキレン基が酸素により結合した構造を有する一価の有機基を示す。
【手続補正９】
【補正対象書類名】明細書
【補正対象項目名】００１６
【補正方法】変更
【補正の内容】
【００１６】
また、本発明に従って、上記に記載の電子写真感光体と、該電子写真感光体の表面を帯電するための帯電手段、該電子写真感光体の表面に形成された静電潜像をトナーにより現像して該電子写真感光体の表面にトナー画像を形成するための現像手段、該現像手段により該電子写真感光体の表面に形成されたトナー画像を転写材又は中間転写体に転写するための転写手段、及び、該転写手段によるトナー画像の転写の後に該電子写真感光体の表面に残ったトナーをクリーニングするためのクリーニング手段からなる群より選択される少なくとも１つの手段とを一体に支持し、電子写真装置本体に着脱自在であるプロセスカートリッジが提供される。
【手続補正１０】
【補正対象書類名】明細書
【補正対象項目名】００１７
【補正方法】変更
【補正の内容】
【００１７】
また、本発明に従って、上記に記載の電子写真感光体、該電子写真感光体の表面を帯電するための帯電手段、該帯電手段により帯電された該電子写真感光体の表面に露光光により静電潜像を形成するための露光手段、該露光手段により該電子写真感光体の表面に形成された静電潜像をトナーにより現像して該電子写真感光体の表面にトナー画像を形成するための現像手段、及び、該現像手段により該電子写真感光体の表面に形成されたトナー画像を転写材又は中間転写体に転写するための転写手段を有する電子写真装置が提供される。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２２
【補正方法】変更
【補正の内容】
【００２２】
本発明における、電子写真感光体の表面層とは、支持体上に感光層を有する電子写真感光体において、支持体より最も隔離された層をいう。図４（ａ）乃至（ｅ）に、本発明の電子写真感光体の構成例を示し、本発明の電子写真感光体の表面層を説明する。
【手続補正１５】
【補正対象書類名】明細書
【補正対象項目名】００２３
【補正方法】変更
【補正の内容】
【００２３】
すなわち、図４（ａ）に示すように支持体１０１上に下引き層１０２、中間層１０３、電荷発生層１０４、電荷輸送層１０５をこの順に有する場合（順層）には電荷輸送層１０５を表面層とする。図４（ｂ）に示すように支持体１０１上に下引き層１０２、中間層１０３、電荷輸送層１０５、電荷発生層１０４をこの順に有する場合（逆層）には電荷発生層１０４を表面層とする。これらの場合、下引き層１０２、中間層１０３は必ずしも必要ではなく、いずれか一方だけを有しても、いずれも無くても構わない。また、図４（ｃ）に示すように電荷輸送層１０５が第１電荷輸送層１０５１上に更に第２電荷輸送層１０５２を有する場合には第２電荷輸送層１０５２が表面層となり、図４（ｄ）に示すように電荷輸送層１０５上に表面保護層１０６を有する場合には表面保護層１０６を表面層とする。あるいは図４（ｅ）に示すように第２電荷輸送層１０５２上に表面保護層１０６を有する場合には表面保護層１０６を表面層とする。
【手続補正１６】
【補正対象書類名】明細書
【補正対象項目名】００２４
【補正方法】変更
【補正の内容】
【００２４】
上述のとおり、電子写真感光体の表面層は、下記式（１１）で示される繰り返し構造単位α及び下記式（１２）で示される繰り返し構造単位βを有するジオルガノポリシロキサンを含有する。これによって、電子写真感光体作製後も均一なフッ素樹脂粉末分散表面層を形成でき、低温低湿環境でも耐久性能に優れ、更に電子写真特性に弊害が生じず、優れた表面潤滑性を持続する電子写真感光体を提供することができる。
【手続補正１７】
【補正対象書類名】明細書
【補正対象項目名】００２６
【補正方法】変更
【補正の内容】
【００２６】
式（１１）中、Ｒ１１は、置換又は無置換の１価の炭化水素基を示す。Ｂ１１は、少なくとも、フッ素原子を有するアルキル基とフッ素原子を有するアルキレン基が酸素により結合した構造又はフッ素原子を有するアルキレン基とフッ素原子を有するアルキレン基が酸素により結合した構造を有する一価の有機基を示す。
【手続補正１８】
【補正対象書類名】明細書
【補正対象項目名】００２９
【補正方法】変更
【補正の内容】
【００２９】
本発明の顕著な効果が得られる理由は明確でないが、式（１２）中のＤ１１の非フッ素系置換基である有機基が結着樹脂への親和性を示す。特に式（１１）中のＢ１１が、フッ素原子を有するアルキル基とフッ素原子を有するアルキレン基が酸素により結合した構造又はフッ素原子を有するアルキレン基とフッ素原子を有するアルキレン基が酸素により結合した構造を有することにより、酸素が介在することで、よりフッ素樹脂粉末への親和性を示す。また、フッ素原子が立体的な拡がりをもって存在できるようになるため、特許文献１及び特許文献２に記載されているパーフルオロアルキル基を有するジオルガノポリシロキサンを含有する表面層を持つ電子写真感光体よりも、更にフッ素樹脂粉末への親和性を示すので、本発明のジオルガノポリシロキサンがフッ素樹脂粉末と結着樹脂との間に介在し、フッ素樹脂粉末の結着樹脂への分散を促進すると共に、フッ素樹脂粉末の凝集を防ぐ働きをより強くする。その結果、クリーニングブレードの圧が高く、また低温低湿下であっても長期耐久枚数に亘り、電子写真感光体表面の接触角を高く維持し、電位変動も少なくすることが出来、高画質を安定的に維持したまま高耐久とすることができたと考えられる。
【手続補正１９】
【補正対象書類名】明細書
【補正対象項目名】０１１２
【補正方法】変更
【補正の内容】
【０１１２】
また、本発明に用いられるジオルガノポリシロキサン中のフッ素原子の含有量は、ジオルガノポリシロキサン全質量に対して１質量％以上９０質量％以下であることが好ましく、特には、５質量％以上６０質量％以下であることが好ましい。フッ素原子の含有量が１質量％未満では、電子写真感光体の表面層の離型性が十分に発揮されない場合がある。９０質量％を超えると、電子写真感光体の表面層中の結着樹脂との相溶性が悪くなったり、アンカー効果が十分に得られなかったりして、表面に移行し易くなり、長時間耐久使用により電子写真感光体の表面が摩耗した場合、十分な効果が得られなくなる場合がある。
【手続補正２０】
【補正対象書類名】明細書
【補正対象項目名】０１１４
【補正方法】変更
【補正の内容】
【０１１４】
それに対して、本発明に用いられるジオルガノポリシロキサンは、特に側鎖のＤ１１が電子写真感光体の表面層の結着樹脂に対してアンカー効果を有するため、表面層中での表面移行性が抑制される。特に、Ｄ１１が重合度３以上の置換又は無置換のポリスチレン鎖を有する１価の有機基の場合、より有効なアンカー効果を有する。また、Ｅ１１とＥ１２の少なくともいずれか一方が重合度３以上の置換又は無置換のポリスチレン鎖を有する１価の有機基の場合には、重合度３以上の置換又は無置換のポリスチレン鎖を有する１価の有機基がジオルガノポリシロキサン中の繰り返し構造単位βとなり、末端基として繰り返し構造単位βが存在することになる。この場合、末端基以外に繰り返し構造単位βはなくてもよい。
【手続補正２１】
【補正対象書類名】明細書
【補正対象項目名】０１１６
【補正方法】変更
【補正の内容】
【０１１６】
本発明に用いられる電子写真感光体は支持体及び該支持体上に設けられた感光層を有する。
【手続補正２２】
【補正対象書類名】明細書
【補正対象項目名】０１５１
【補正方法】変更
【補正の内容】
【０１５１】
有機光導電性物質である電荷発生物質、電荷輸送物質等は、一般に紫外線、オゾン、オイルによる汚れ、金属等に弱いため、感光層を保護することを目的として、感光層上に表面保護層を設け、これを電子写真感光体の表面層としてもよい。
【手続補正２３】
【補正対象書類名】明細書
【補正対象項目名】０１５２
【補正方法】変更
【補正の内容】
【０１５２】
本発明で用いることができる電子写真感光体の表面層となる表面保護層は、ポリエステル樹脂、ポリカーボネート樹脂、アクリル樹脂、メタクリル樹脂、ポリアミド樹脂、ポリイミド樹脂、ポリアリレート樹脂、ポリウレタン樹脂、スチレン−ブタジエンコポリマー、スチレン−アクリル酸コポリマー及びスチレン−アクリロニトリルコポリマー等の結着樹脂と、フッ素樹脂粉体及び本発明のジオルガノシロキサンを含有する溶液を感光層の上に塗布、乾燥することによって形成する。また、結着樹脂として縮合系モノマーや不飽和基を持つラジカル重合系モノマーを用いた場合は、塗布後、熱や紫外線等のエネルギー光を当てて硬化、形成してもよい。また、必要に応じて、金属や導電性金属酸化物等の導電性粒子や電荷輸送材料等を更に含有させてもよい。
【手続補正２４】
【補正対象書類名】明細書
【補正対象項目名】０１５５
【補正方法】変更
【補正の内容】
【０１５５】
フッ素樹脂粉体の分散にはホモジナイザー、ラインミキサー、ウルトラディスパーサー、ホモミキサー、液衝突型高速分散機及び超音波分散機等の各種乳化機や分散機、ミキサー等の混合装置が使用できる。電子写真感光体の表面層となる表面保護層は、上記ジオルガノポリシロキサンとポリエステル樹脂、ポリカーボネート樹脂、アクリル樹脂、メタクリル樹脂、ポリアミド樹脂、ポリイミド樹脂、ポリアリレート樹脂、ポリウレタン樹脂、スチレン−ブタジエンコポリマー、スチレン−アクリロニトリルコポリマー、スチレン−アクリル酸コポリマー等の結着樹脂と適当な溶剤に溶解し、得られた塗布液を感光層上に塗布・乾燥することにより形成することができる。また、表面保護層の結着樹脂として縮合系モノマーや不飽和基をもつラジカル重合系モノマーから得られる樹脂を用いる場合は、塗布液を塗布した後、熱や紫外線等のエネルギー光を当てて硬化し、表面保護層を形成してもよい。表面保護層の膜厚は０．０５μｍ以上２０μｍ以下であることが好ましい。
【手続補正２５】
【補正対象書類名】明細書
【補正対象項目名】０１５７
【補正方法】変更
【補正の内容】
【０１５７】
本発明の電子写真感光体の表面層には、必要に応じて、金属、導電性金属酸化物等の導電性粒子や電荷輸送物質を更に含有させてもよい。